(57)【要約】【課題】洗濯の一連の作業や移動の負担を格段に軽減することができる住宅を提供する。【解決手段】パブリック部１０と、パブリック部１０に隣接して連通する床上げ部２０と、パブリック部１０及び床上げ部２０に隣接して連通する屋内の物干し部３０と、を備える住宅１である。床上げ部２０が物干し部３０に隣接連通し、物干し部３０に干した洗濯物を取り込む作業や畳む作業のための空間として床上げ部２０を使用できるため、これらの作業を軽減することができる。【選択図】図１
2015224484.tif 000002
【特許請求の範囲】
【請求項１】
パブリック部と、
前記パブリック部に隣接して連通する床上げ部と、
前記パブリック部及び前記床上げ部に隣接して連通する屋内の物干し部と、
を備える、住宅。
【請求項２】
前記パブリック部には、キッチンが設置されている、請求項１に記載の住宅。
【請求項３】
前記物干し部は、洗濯機置き場を有している、請求項１又は２に記載の住宅。
【請求項４】
前記物干し部と前記パブリック部との境界と、前記物干し部と前記床上げ部との境界と、には、引戸形式の出入口建具が設けられている、請求項１から３の何れか一項に記載の住宅。
【請求項５】
前記物干し部と前記パブリック部との境界と、前記物干し部と前記床上げ部との境界と、は平面視で一直線状に連続しており、これらの連続した境界に沿って前記出入口建具が設けられている、請求項４に記載の住宅。
【請求項６】
前記出入口建具は、透光性及び遮視性を有する、請求項４又は５に記載の住宅。
【請求項７】
前記床上げ部は、屋外のベランダに隣接するとともに、前記ベランダに出入りするための掃出し窓が設けられている、請求項１から６の何れか一項に記載の住宅。
【請求項８】
前記床上げ部は、カウンターと、収納部と、を有している、請求項１から７の何れか一項に記載の住宅。
【請求項９】
前記床上げ部の下方に、引出式の収納部が設けられている、請求項１から８の何れか一項に記載の住宅。
【発明の詳細な説明】
【技術分野】
【０００１】
本発明は、住宅に関する。
【背景技術】
【０００２】
現在、洗濯室のある住宅が種々提案され、実用化されている（例えば、特許文献１参照）。特許文献１に記載された住宅によれば、キッチンと洗面・脱衣室が洗濯室を介して接続され、洗濯動線と炊事動線との切り替えが可能となる、とされている。
【先行技術文献】
【特許文献】
【０００３】
【特許文献１】特開２００１−３１１３１６号公報
【発明の概要】
【発明が解決しようとする課題】
【０００４】
ところで、洗濯の家事は、洗う、干す、取り込む、畳む、収納する、等の一連の作業が必要となり、家事負担が大きいことが知られている。しかし、一般的な住宅では、この一連の作業の場所が上下階にまたがることが多く、また、作業場所が同一階にあっても移動距離が長くなる場合があり、一層家事負担が大きくなっていた。前記した特許文献１に記載された住宅においても、洗濯物を干す室内空間や畳む空間については特に考慮されておらず、洗濯の一連の作業を含めた家事作業の効率化に十分配慮しているとは言えなかった。近年においては特に、共働きの夫婦と子供で構成された家族が増えており、このような家族においては家事や育児にかける時間が十分にとれないため、特に洗濯の一連の作業の負担を軽減する必要に迫られている。
【０００５】
本発明は、かかる事情に鑑みてなされたものであり、洗濯の一連の作業や移動の負担を格段に軽減することができる住宅を提供することを目的とする。
【課題を解決するための手段】
【０００６】
前記目的を達成するため、本発明に係る住宅は、パブリック部と、パブリック部に隣接して連通する床上げ部と、パブリック部及び床上げ部に隣接して連通する屋内の物干し部と、を備えるものである。
【０００７】
かかる構成を採用すると、床上げ部が物干し部に隣接して連通しており、物干し部に干した洗濯物を取り込んで一時的に置いておく空間として、また洗濯物を畳む作業のための空間として、床上げ部を使用することができるため、洗濯の家事作業を軽減することができる。また、床上げ部の縁に形成される段差部に腰掛けながら、洗濯物を畳む作業を楽に行うことができる。また、床上げしていない領域と比較すると、床上げ部の床には埃が堆積し難いため、取り込まれた洗濯物を床上げ部の床に置いても清潔さを保ち易いという利点がある。さらに、床上げ部はパブリック部にも隣接して連通しているため、洗濯物を取り込む作業や畳む作業を行いながら、家族との会話やテレビ鑑賞を楽しむことができる。また、床上げ部を子供の学習の場や乳幼児を寝かせる場としても活用することができるため、家事等をしながら子供や乳幼児の様子を伺うことができる。
【０００８】
本発明に係る住宅において、パブリック部にキッチンを設置することができる。
【０００９】
かかる構成を採用すると、パブリック部にキッチンが設置されており、パブリック部には物干し部及び床上げ部が隣接して連通しているため、食事の準備・片付け作業と洗濯作業を並行して行う際に、家事動線が効率的となる。また、キッチンが設置されたパブリック部には床上げ部が隣接して連通しているため、床上げ部を子供の学習の場や乳幼児を寝かせる場として活用した場合には、キッチンから子供や乳幼児の様子を伺うことができる。
【００１０】
本発明に係る住宅において、洗濯機置き場を有する物干し部を採用することができる。
【００１１】
かかる構成を採用すると、物干し部に洗濯機を置くことができるので、水分を含んで重くなった洗濯物を持って移動する負担を軽減することができる。この結果、洗濯の一連の作業のうち、洗う作業から干す作業までを特に効率良く行うことができる。
【００１２】
本発明に係る住宅において、物干し部とパブリック部との境界と、物干し部と床上げ部との境界と、に引戸形式の出入口建具を設けることができる。
【００１３】
かかる構成を採用すると、物干し部と、隣接する空間（パブリック部及び床上げ部）と、を出入口建具で仕切ることができるので、物干し部から隣接する空間へと湿気が流出するのを防止することができるとともに、出入口建具が遮視性を有する場合には物干し部にある洗濯物が隣接する空間から視認されるのを防止することができる。また、季節や天候等の状況によっては、物干し部と隣接する空間との境界に設けられた出入口建具を開放することにより、双方の空間に相互に通風を促すことができる。また、出入口建具の開放状態を維持することにより、洗濯作業者が移動する際に（洗濯物を手に持っている場合は特に）建具を開閉しなくても済むため、作業が楽になるという利点がある。
【００１４】
本発明に係る住宅において、物干し部とパブリック部との境界と、物干し部と床上げ部との境界と、を平面視で一直線状に連続させ、これらの連続した境界に沿って出入口建具を設けることができる。
【００１５】
かかる構成を採用すると、物干し部とパブリック部との境界と、物干し部と床上げ部との境界と、が平面視で一直線状に連続しており、これらの連続した境界に沿って出入口建具が設けられているため、出入口建具を開放することにより物干し部と床上げ部とパブリック部とを一体的な空間としてつなげることができる。従って、家事作業の効率をさらに向上させることができる。
【００１６】
本発明に係る住宅において、透光性及び遮視性を有する出入口建具を採用することができる。
【００１７】
かかる構成を採用すると、パブリック部や床上げ部から物干し部の洗濯物が視認されるのを抑制しつつ、物干し部を介した採光を得ることができる。
【００１８】
本発明に係る住宅において、屋外のベランダに床上げ部を隣接させ、ベランダに出入りするための掃出し窓を床上げ部に設けることができる。
【００１９】
かかる構成を採用すると、床上げ部が屋外のベランダに隣接しており、このベランダに出入りするための掃出し窓が床上げ部に設けられているため、屋外での物干しを容易に行うことができる。また、急な雨の場合でも、屋外の洗濯物を、ベランダから床上げ部を経由して屋内の物干し部へと容易に移動させることができる。
【００２０】
本発明に係る住宅において、カウンターと、収納部と、を有する床上げ部を採用することができる。
【００２１】
かかる構成を採用すると、床上げ部のカウンターを使用してアイロン掛け作業等を効率良く行うことができ、アイロン掛けに使用する道具や衣類等を収納部に収納することができる。また、床上げ部のカウンターを、子供の勉強机等として活用することができるという利点がある。
【００２２】
本発明に係る住宅において、床上げ部の下方に、（例えばパブリック部に面する側に引出可能な）引出式の収納部を設けることができる。
【００２３】
かかる構成を採用すると、床上げ部の縁に形成される段差部に腰掛けて洗濯物を畳む作業を行った後、畳み終えた洗濯物（衣類等）を、床上げ部の下方に設けられた引出式の収納部に収納することができる。
【発明の効果】
【００２４】
本発明によれば、洗濯の一連の作業や移動の負担を格段に軽減することができる住宅を提供することが可能となる。
【図面の簡単な説明】
【００２５】
【図１】本発明の実施形態に係る住宅の平面図である。
【図２】本発明の実施形態に係る住宅のパブリック部と床上げ部と物干し部の境界付近を示す斜視図である。
【発明を実施するための形態】
【００２６】
以下、図面を参照して、本発明の実施形態について説明する。なお、以下の実施形態はあくまでも好適な適用例であって、本発明の適用範囲がこれに限定されるものではない。
【００２７】
本発明の実施形態に係る住宅１は、共働きの夫婦と子供で構成された家族等に特に好適なものであり、図１に示すように、パブリック部１０と、パブリック部１０に隣接して連通する床上げ部２０と、パブリック部１０及び床上げ部２０に隣接して連通する屋内の物干し部３０と、を備えている。
【００２８】
パブリック部１０は、居住者が共用する領域である。本実施形態における平面視矩形状のパブリック部１０は、住宅１の２階に設けられたＬＤＫ空間である。パブリック部１０には、図１に示すように、キッチン１１と、ダイニングテーブル１２と、複数の椅子１３と、が設置されている。
【００２９】
床上げ部２０は、図２に示すように、パブリック部１０の床よりも高い床を有する領域である。本実施形態においては、平面視矩形状の床上げ部２０がパブリック部１０に隣接して連通するように住宅１の２階に設けられている。パブリック部１０と床上げ部２０との段差は、３５〜４５ｃｍ程度に設定することができる。
【００３０】
床上げ部２０の床には、畳２１が敷設されている。畳２１は、床板と比較するとクッション性を有するため、物干し部３０から取り込んだ洗濯物を畳２１の上に腰掛けながら畳む作業をする際や、乳幼児を寝かせる場として利用する際に好適である。
【００３１】
床上げ部２０には、図１及び図２に示すように、カウンター２２と、収納部２３と、が設けられており、カウンター２２付近には、図示されていない電源が設けられている。カウンター２２は、アイロン掛けをするスペースや子供の勉強机等として活用することができる。また、収納部２３には、アイロン掛けに使用する道具や衣類等を収納することができるようになっている。
【００３２】
床上げ部２０の下方には、図２に示すように、パブリック部１０に面する側に引出可能な引出式の収納部２４が設けられている。このため、段差部に腰掛けて洗濯物を畳む作業を行った後、畳み終えた洗濯物（衣類等）を、収納部２４に収納することができる。
【００３３】
床上げ部２０は、図１に示すように、屋外のベランダ４０に隣接している。そして、床上げ部２０とベランダ４０との間には、出入りするための掃出し窓２５が設けられている。このように床上げ部２０がベランダ４０に隣接しているため、屋外での物干しを容易に行うことができ、急な雨の場合でも、屋外の洗濯物をベランダ４０から床上げ部２０を経由して屋内の物干し部３０へと容易に移動させることができる。
【００３４】
物干し部３０は、洗濯物を干すための領域である。本実施形態においては、平面視矩形状の物干し部３０がパブリック部１０及び床上げ部２０に隣接して連通するように住宅１の２階に設けられている。本実施形態における物干し部３０は、採光性に優れる南側（南東〜南西）に面している。また、物干し部３０の南側には開閉窓３１が設けられており、この開閉窓３１から風や日射を取り入れることができる。
【００３５】
物干し部３０には、洗濯物を干すための複数本の物干し竿３２を掛止するフックが設けられている。また、物干し部３０には、洗濯機置き場３３及び洗濯流し３４が設けられており、洗濯機置き場３３には、図示されていない電源とは排水手段とが設けられている。また、物干し部３０には、図示されていない換気扇が設けられており、この換気扇を作動させることにより洗濯物から出る湿気の排出を促進させることができる。
【００３６】
本実施形態においては、物干し部３０とパブリック部１０との境界と、物干し部３０と床上げ部２０との境界と、が図１及び図２に示すように平面視で一直線状に連続しており、これらの連続した境界に沿って三枚引きの引戸形式の出入口建具５０が設けられている（なお、図１及び図２は、出入口建具５０が閉じられた状態を示している）。出入口建具５０を片側（掃出し窓２５側）に引き寄せることにより、物干し部３０がパブリック部１０と床上げ部２０との両方に連通した状態を保つことができる。本実施形態における出入口建具５０は、その下端（建具下枠）の位置が物干し部３０及びパブリック部１０の床レベルに略等しく、その上端（建具上枠）の位置が物干し部３０、パブリック部１０及び床上げ部２０の天上高さに略等しくなっている。
【００３７】
本実施形態における出入口建具５０の面材には、透光性及び遮視性を有する材料（例えば乳白色のポリカーボネート）が使用されている。このため、パブリック部１０や床上げ部２０から物干し部３０の洗濯物が視認されるのを抑制しつつ、物干し部３０を介した採光を得ることができる。
【００３８】
以上説明した実施形態に係る住宅１においては、床上げ部２０が物干し部３０に隣接して連通しており、物干し部３０に干した洗濯物を取り込んで一時的に置いておく空間として、また洗濯物を畳む作業のための空間として、床上げ部２０を使用することができるため、洗濯の家事作業を軽減することができる。また、床上げ部２０の縁に形成される段差部に腰掛けながら、洗濯物を畳む作業を楽に行うことができる。また、床上げしていない領域と比較すると、床上げ部２０の畳２１には埃が堆積し難いため、取り込まれた洗濯物を床上げ部２０の畳２１に置いても清潔さを保ち易いという利点がある。さらに、床上げ部２０はパブリック部１０にも隣接して連通しているため、洗濯物を取り込む作業や畳む作業を行いながら、家族との会話やテレビ鑑賞を楽しむことができる。また、床上げ部２０を子供の学習の場や乳幼児を寝かせる場としても活用することができるため、家事等をしながら子供や乳幼児の様子を伺うことができる。
【００３９】
また、以上説明した実施形態に係る住宅１においては、パブリック部１０にキッチン１１が設置されており、パブリック部１０には物干し部３０及び床上げ部２０が隣接して連通しているため、食事の準備・片付け作業と洗濯作業を並行して行う際に、家事動線が効率的となる。また、キッチン１１が設置されたパブリック部１０には床上げ部２０が隣接して連通しているため、床上げ部２０を子供の学習の場や乳幼児を寝かせる場として活用した場合には、キッチン１１から子供や乳幼児の様子を伺うことができる。
【００４０】
また、以上説明した実施形態に係る住宅１においては、物干し部３０に洗濯機を置くことができるので、水分を含んで重くなった洗濯物を持って上下階の移動をする負担を軽減することができる。この結果、洗濯の一連の作業のうち、洗う作業から干す作業までを特に効率良く行うことができる。
【００４１】
また、以上説明した実施形態に係る住宅１においては、物干し部３０と、隣接する空間（パブリック部１０及び床上げ部２０）と、を出入口建具５０で仕切ることができるので、物干し部３０から隣接する空間へと湿気が流出するのを防止することができる。また、遮視性を有する出入口建具５０を採用していることから、物干し部３０にある洗濯物が隣接する空間から視認されるのを防止することができる。また、季節や天候等の状況によっては、物干し部３０と隣接する空間との境界に設けられた出入口建具５０を開放することにより、双方の空間に相互に通風を促すことができる。また、出入口建具５０の開放状態を維持することにより、洗濯作業者が移動する際に（洗濯物を手に持っている場合は特に）出入口建具５０を開閉しなくても済むため、作業が楽になるという利点がある。
【００４２】
また、以上説明した実施形態に係る住宅１においては、物干し部３０とパブリック部１０との境界と、物干し部３０と床上げ部２０との境界と、が平面視で一直線状に連続しており、これらの連続した境界に沿って出入口建具５０が設けられているため、出入口建具５０を開放することにより物干し部３０と床上げ部２０とパブリック部１０とを一体的な空間としてつなげることができる。従って、家事作業の効率をさらに向上させることができる。
【００４３】
また、以上説明した実施形態に係る住宅１においては、透光性及び遮視性を有する出入口建具５０を採用しているため、パブリック部１０や床上げ部２０から物干し部３０の洗濯物が視認されるのを抑制しつつ、物干し部３０を介した採光を得ることができる。
【００４４】
また、以上説明した実施形態に係る住宅１においては、床上げ部２０が屋外のベランダ４０に隣接しており、このベランダ４０に出入りするための掃出し窓２５が床上げ部２０に設けられているため、屋外での物干しを容易に行うことができる。また、急な雨の場合でも、屋外の洗濯物を、ベランダ４０から床上げ部２０を経由して屋内の物干し部３０へと容易に移動させることができる。
【００４５】
また、以上説明した実施形態に係る住宅１においては、床上げ部２０のカウンター２２を使用してアイロン掛け作業等を効率良く行うことができ、アイロン掛けに使用する道具や衣類等を収納部２３に収納することができる。また、床上げ部２０のカウンター２２を、子供の勉強机等として活用することができるという利点がある。
【００４６】
また、以上説明した実施形態に係る住宅１においては、床上げ部２０の下方に、パブリック部１０に面する側に引出可能な引出式の収納部２４を設けているため、床上げ部２０の縁に形成される段差部に腰掛けて洗濯物を畳む作業を行った後、畳み終えた洗濯物（衣類等）を収納部２４に収納することができる。
【００４７】
なお、本実施形態においては、パブリック部１０、床上げ部２０及び物干し部３０を住宅の２階に設けた例を示したが、住宅の１階や３階（ないしさらなる高層階）にこれらパブリック部１０、床上げ部２０及び物干し部３０を設けることもできる。また、本実施形態においては、平面視矩形状のパブリック部１０、床上げ部２０及び物干し部３０を採用した例を示したが、これらの平面形状はこれに限定されるものではない。また、本実施形態においては、物干し部３０とパブリック部１０との境界と、物干し部３０と床上げ部２０との境界と、を平面視で一直線状に連続させた例を示したが、前者と後者は必ずしも平面視で一直線状に連続していなくてもよく、例えば前者と後者が平面視で折れ線状に接続されていてもよい。
【００４８】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４９】
１…住宅
１０…パブリック部
１１…キッチン
２０…床上げ部
２２…カウンター
２３…収納部
２４…引出式の収納部
２５…掃出し窓
３０…物干し部
３３…洗濯機置き場
４０…ベランダ
５０…出入口建具
【図１】
2015224484.tif 000003
【図２】
2015224484.tif 000004